(57)【要約】      （修正有）【課題】使用時の不快なアミン臭及び高級脂肪酸臭が抑制され、かつ保存安定性に優れた酸素系漂白剤の提供。【解決手段】成分(A)を含有する第１剤と、成分(B)及び(C)を含有する第２剤とを使用直前に混合して使用する組成物であって、第１剤と第２剤の混合物中に成分(A)〜(E)を含有する漂白洗浄剤組成物。(A)：過酸化水素又は過酸化水素を生成する過酸化物、(B)：アルカリ剤、(C)：リモネン、シトロネロール等から選択される香料化合物、(D)：特定の環状アミン化合物、(E)：有機過酸前駆体又は有機過酸。【選択図】なし【特許請求の範囲】
【請求項１】
成分(A)を含有する第１剤と、成分(B)及び(C)を含有する第２剤とを使用直前に混合して使用する組成物であって、第１剤と第２剤の混合物中に成分(A)、(B)、(C)、(D)及び(E)を含有する漂白洗浄剤組成物。
成分(A)：過酸化水素及び水中で過酸化水素を生成する過酸化物からなる群より選択される１以上の化合物
成分(B)：アルカリ剤
成分(C)：以下の香料群から選択される１種又は２種以上の香料化合物
リモネン、シトロネロール、ジヒドロミルセノール、シス-3-ヘキセノール、2,6-ジメチル-2-ヘプタノール、l-メントール、メチルイソオイゲノール、ダマセノン、ローズオキサイド、2,4,6-トリメチル-2-フェニル-1,3-ジオキサン、p-メンタン-8-チオール-3-オン、シトロネリルニトリル、ユーカリ油
成分(D)：下記一般式(D1)〜(D4)のいずれかで表される１以上の環状アミン化合物
【化１】
2015017236.tif 000018
〔式中、Ｒ1〜Ｒ12は、それぞれ独立に、水素原子、水酸基、カルボキシ基、炭素数１以上12以下のアシルオキシ基、置換基を有していてもよいアミノ基、炭素数１以上12以下のアルコキシ基、並びに置換基及び／又はエーテル結合を有していてもよい炭素数１以上24以下の炭化水素基からなる群より選択される原子又は基を示す。Ｒ1〜Ｒ6のうち２つ、Ｒ7〜Ｒ9のうち２つ、Ｒ10〜Ｒ12のうち２つはそれぞれ、共同して隣接する窒素原子又は炭素原子と共に環構造を形成してもよい。ｎは１以上３以下の整数、ｊは０以上10以下の整数、ｋは０以上８以下の整数を示す。〕
成分(E)：有機過酸前駆体及び有機過酸からなる群より選択される１以上の化合物
【請求項２】
第１剤及び第２剤が更に成分(I)として水を含有し、液状の形態である、請求項１に記載の漂白洗浄剤組成物。
【請求項３】
混合物中の成分(C)と成分(D)の含有量の比率が質量比(C)／(D)で0.1〜50である、請求項１又は２記載の漂白洗浄剤組成物。
【請求項４】
混合物中の成分(C)と成分(E)の含有量の比率が質量比(E)／(C)で0.1〜50である、請求項１〜３のいずれかに記載の漂白洗浄剤組成物。
【請求項５】
成分(E)が、下記一般式(E1)で表される有機過酸前駆体である、請求項１〜４の何れか１項記載の漂白洗浄剤組成物。
【化２】
2015017236.tif 000019
〔式中、Ｒ8は炭素数５以上19以下のアルキル基又はアルケニル基を示し、ＺはＳＯ3Ｍ又はＣＯＯＭを示し、Ｍは陽イオンを示す。〕
【請求項６】
成分(B)が、アルカリ金属の水酸化物、アルカリ金属の炭酸塩、アルカリ土類金属の水酸化物、アルカリ土類金属の炭酸塩、ケイ酸塩及びアルカノールアミンからなる群より選択される１以上の化合物である、請求項１〜５のいずれか１項に記載の漂白洗浄剤組成物。
【請求項７】
混合物中の成分(C)の含有量が0.0005〜50質量％である請求項１〜６のいずれか１項に記載の漂白洗浄剤組成物。
【請求項８】
混合物中の成分(D)の含有量が0.001〜10質量％である請求項１〜７のいずれか１項に記載の漂白洗浄剤組成物。
【請求項９】
混合物中の成分(E)の含有量が0.01〜30質量％である請求項１〜８のいずれか１項に記載の漂白洗浄剤組成物。
【請求項１０】
更に、成分(G)として界面活性剤を含有する、請求項１〜９のいずれか１項に記載の漂白洗浄剤組成物。
【発明の詳細な説明】
【技術分野】
【０００１】
本発明は、住環境設備等に使用する漂白洗浄剤組成物に関する。
【背景技術】
【０００２】
酸化性組成物は、他の物質に対して酸化作用を有する化合物を含む組成物である。この酸化作用は、有色物質に対しては、脱色、漂白、変色などの現象として認識され得るものである。酸化性組成物は、風呂・トイレ・台所等の硬質表面の漂白、カビ取り、衣類の漂白、汚れ・匂い原因物質の分解、除菌、パルプの漂白、などの様々な用途に用いられている。すなわち、硬質表面への適用として、硬質表面の脱色、漂白などの色素の変質に酸化性組成物を用いることが知られている。
【０００３】
生活環境において発生する様々な汚れに対し、外観上の美観維持、衛生などの目的から、洗浄、漂白、除菌などの対処が行われている。なかでも、トイレ、浴室、風呂釜、配水管などの洗浄し難い場所の汚れは、界面活性剤などを主成分とした洗浄剤のみでは除去困難であり、しばしば漂白剤が使用されている。一例を挙げると、浴室の浴槽、タイル目地、ドア枠、窓枠、コントローラや、台所の三角コーナーなどの黒ずみ汚れは、Cladosporium属のカビが生産する色素が原因であり、クレンザーや界面活性剤だけでは除去し難いので、次亜塩素酸ナトリウム水溶液の漂白作用により除去する方法が一般に行われている。
【０００４】
しかしながら、次亜塩素酸ナトリウムを使用したカビ取り剤は、漂白及び洗浄性能は優れているが目や皮膚に対する刺激が強く、特有の塩素系の臭いを有するため、狭い浴室などで使用する場合には注意が必要であり、また、誤って酸性の洗浄剤と混合すると有毒ガスを発生するという問題がある。
【０００５】
このため、このような問題のないカビ取り剤として、酸素系漂白剤を使用した組成物の提案がされている。例えば、特許文献１には、過酸化水素、アルカリ剤及び漂白活性化剤を併用した硬表面用漂白剤組成物が開示されている。
【０００６】
また、特許文献２には、過酸化水素、漂白活性化剤を含有するＡ剤と、アルカリ剤を含有するＢ剤とからなる繊維製品の漂白に適した、洗剤と併用しなくても高い漂白洗浄力を有する２剤型液体漂白剤組成物が開示されている。
【０００７】
また、特許文献３には、水に溶解して過酸化水素を発生する過酸化物、キレート剤、銅化合物及びバインダー化合物からなる高い殺菌・除菌効果を発揮する組成物が開示されている。
【０００８】
また、特許文献４、５には、特定のピロリジン誘導体や特定のピペリジン誘導体により、過酸化水素を酸化剤として用いる漂白剤の漂白効果を向上できることが記載されている。
【０００９】
一方、酸素系漂白剤組成物では、特定の香気化合物が分解されやすいことが知られており、香料成分を安定な状態で漂白剤組成物中に存在させるための工夫が必要とされている。例えば特許文献６では二重結合などの構造を有する香料成分が直接過酸化水素によって分解されないようにするために、特定の界面活性剤及び漂白活性剤を組成物に配合している。
【先行技術文献】
【特許文献】
【００１０】
【特許文献１】特開平3-220298号公報
【特許文献２】特開平9-48997号公報
【特許文献３】特開2009-155292号公報
【特許文献４】特開2007-246455号公報
【特許文献５】特開2007-246456号公報
【特許文献６】特開2005-239770号公報
【発明の概要】
【発明が解決しようとする課題】
【００１１】
しかしながら、カビ汚れは除去困難な強固な汚れであり、従来提案されている酸素系漂白剤を使用したカビ取り剤は、更なる性能向上が望まれる。そこで本発明者らは、鋭意検討の結果、特定の環状アミン誘導体、特にピロリジン類、ピペリジン類又は環状エチレンジアミン誘導体と有機過酸類と過酸化水素を含有する酸素系漂白剤組成物がカビ汚れなどの除去困難な汚れに対する漂白性能や漂白洗浄性能の向上に適することを見出した。
【００１２】
しかし、これら特定の環状アミン誘導体と有機過酸類と過酸化水素を含有する酸素系漂白剤組成物は使用直後に不快なアミン臭を発すること、及び該漂白剤を水で洗い流した後に独特の高級脂肪酸臭が残る場合があることが判明した。また、該漂白剤中において香料の保存安定性が不十分である場合もあった。
【００１３】
そこで本発明は、特定の環状アミン誘導体と有機過酸類と過酸化水素とを含有する酸素系漂白剤の使用時に生じる不快なアミン臭及び高級脂肪酸臭が抑制され、かつ保存安定性に優れた酸素系漂白剤を提供することを課題とする。
【課題を解決するための手段】
【００１４】
本発明者らは鋭意検討した結果、使用時の不快なアミン臭及び漂白剤使用後に水で洗い流した際に残る高級脂肪酸臭の両方のニオイを消臭し、かつ保存安定性を損なわない香料化合物を見出し、これを過酸化水素と分離して配合することで上記課題を解決できることを見出した。
【００１５】
すなわち、本発明は、成分(A)を含有する第１剤と、成分(B)及び(C)を含有する第２剤とを使用直前に混合して使用する組成物であって、第１剤と第２剤の混合物中に成分(A)、(B)、(C)、(D)及び(E)を含有する漂白洗浄剤組成物を提供するものである。
成分(A)：過酸化水素及び水中で過酸化水素を生成する過酸化物からなる群より選択される１以上の化合物
成分(B)：アルカリ剤
成分(C)：以下の香料群から選択される１種又は２種以上の香料化合物
リモネン、シトロネロール、ジヒドロミルセノール、シス-3-ヘキセノール、2,6-ジメチル-2-ヘプタノール、l-メントール、メチルイソオイゲノール、ダマセノン、ローズオキサイド、2,4,6-トリメチル-2-フェニル-1,3-ジオキサン、p-メンタン-8-チオール-3-オン、シトロネリルニトリル、ユーカリ油
成分(D)：下記一般式(D1)〜(D4)のいずれかで表される１以上の環状アミン化合物
【００１６】
【化１】
2015017236.tif 000002
【００１７】
〔式中、Ｒ1〜Ｒ12は、それぞれ独立に、水素原子、水酸基、カルボキシ基、炭素数１以上12以下のアシルオキシ基、置換基を有していてもよいアミノ基、炭素数１以上12以下のアルコキシ基、並びに置換基及び／又はエーテル結合を有していてもよい炭素数１以上24以下の炭化水素基からなる群より選択される原子又は基を示す。Ｒ1〜Ｒ6のうち２つ、Ｒ7〜Ｒ9のうち２つ、Ｒ10〜Ｒ12のうち２つはそれぞれ、共同して隣接する窒素原子又は炭素原子と共に環構造を形成してもよい。ｎは１以上３以下の整数、ｊは０以上10以下の整数、ｋは０以上８以下の整数を示す。〕
成分(E)：有機過酸前駆体及び有機過酸からなる群より選択される１以上の化合物
【発明の効果】
【００１８】
本発明の漂白洗浄剤組成物は、カビ汚れなどの除去困難な対象汚れに対する優れた漂白性能を有し、また、漂白性能発現後の副生物に起因する、漂白剤使用時の不快なアミン臭及び水で洗い流した後の高級脂肪酸臭を抑制でき、保存安定性も良好である。
【発明を実施するための形態】
【００１９】
＜成分(A)：過酸化水素等＞
成分(A)は、過酸化水素及び水中で過酸化水素を生成する過酸化物からなる群より選択される１以上の化合物である。
【００２０】
水中で過酸化水素を生成する過酸化物としては、無機過酸化物、過酸化水素付加物が挙げられ、好ましくは、過炭酸塩、トリポリリン酸塩・過酸化水素付加物、ピロリン酸塩・過酸化水素付加物、尿素・過酸化水素付加物、硫酸塩・過酸化水素付加物、過ホウ酸塩、過ケイ酸塩、過酸化塩であり、より好ましくは、過炭酸ナトリウム、トリポリリン酸ナトリウム・過酸化水素付加物、尿素・過酸化水素付加物、又は硫酸ナトリウム・過酸化水素付加物、過ホウ酸ナトリウム一水和物、過ホウ酸ナトリウム四水化物、過ケイ酸ナトリウム、過酸化ナトリウム、過酸化カルシウム等である。
【００２１】
また、更に好ましい成分(A)は、過酸化水素、過炭酸ナトリウム及び過ホウ酸ナトリウムからなる群より選択される１以上の化合物であり、過酸化水素がより好ましく用いられる。
【００２２】
＜成分(B)：アルカリ剤＞
成分(B)は、アルカリ剤である。アルカリ剤としては、漂白性能を高める観点から、アルカリ金属の水酸化物、アルカリ金属の炭酸塩、アルカリ土類金属の水酸化物、アルカリ土類金属の炭酸塩、ケイ酸塩及びアルカノールアミンからなる群より選択される１以上の化合物が好ましい。
【００２３】
漂白性能を高める観点から、成分(B)は、アルカリ金属の水酸化物、アルカリ金属の炭酸塩からなる群より選択される１以上の化合物が好ましく、アルカリ金属の水酸化物より選択される１以上の化合物がより好ましく、水酸化ナトリウム、水酸化カリウム、炭酸ナトリウム及び炭酸カリウムからなる群より選択される１以上の化合物が更に好ましい。
【００２４】
＜成分(C)：特定香料化合物＞
成分(C)はリモネン、シトロネロール、ジヒドロミルセノール、シス-3-ヘキセノール、2,6-ジメチル-2-ヘプタノール、l-メントール、メチルイソオイゲノール、ダマセノン、ローズオキサイド、2,4,6-トリメチル-2-フェニル-1,3-ジオキサン、p-メンタン-8-チオール-3-オン、シトロネリルニトリル、ユーカリ油から選ばれる１又は２以上の香料化合物である。
アミン臭及び高級脂肪酸臭の消臭の観点から、ジヒドロミルセノール、シス-3-ヘキセノール、2,6-ジメチル-2-ヘプタノール、ダマセノン、ローズオキサイド、p-メンタン-8-チオール-3-オン、シトロネリルニトリル、ユーカリ油から選ばれる１又は２以上の香料化合物が好ましい。
【００２５】
＜成分(D)：一般式(D1)〜(D4)で表される環状アミン化合物＞
成分(D)は、前記一般式(D1)〜(D4)のいずれかで表される１以上の環状アミン化合物である。
【００２６】
これらのうち、一般式(D1)又は(D2)で表される環状アミン化合物としては、下記一般式(D1a)又は(D2a)で表されるものが好ましい。
【００２７】
【化２】
2015017236.tif 000003
【００２８】
〔式中、
Ｒ1a、Ｒ4a及びＲ5aは、それぞれ独立に、水素原子、水酸基、置換基を有していてもよい炭素数１以上24以下の鎖状炭化水素基、置換基を有していてもよい炭素数３以上18以下の環状炭化水素基、及び下記一般式(d)で表される基（以下、基(d)という）からなる群より選択される原子又は基を示し、Ｒ4a、Ｒ5aが共に水素原子又は水酸基でない場合、共同して隣接する窒素原子と共に環構造を形成してもよい。
Ｒ2a及びＲ3aは、それぞれ独立に、水素原子、置換基を有していてもよい炭素数１以上、24以下の鎖状炭化水素基、置換基を有していてもよい炭素数３以上18以下の環状炭化水素基、及び基(d)からなる群より選択される原子又は基を示し、Ｒ2a、Ｒ3aが共に水素原子でない場合、共同して隣接する四級炭素原子と共に環構造を形成してもよい。
Ｒ6aは、水素原子、水酸基、カルボキシ基、炭素数１以上12以下のアシルオキシ基、置換基を有していてもよいアミノ基、炭素数１〜12のアルコキシ基、置換基を有していてもよい炭素数１以上24以下の鎖状炭化水素基、置換基を有していてもよい炭素数３以上18以下の環状炭化水素基、及び基(d)からなる群より選択される原子又は基を示し、Ｒ6a、Ｒ4a、Ｒ5aが全て鎖状炭化水素基の場合、Ｒ6aはＲ4a又はＲ5aと共同して隣接する窒素原子と共に環構造を形成してもよい。
ｎは１以上３以下の数を示す。〕
【００２９】
−[(Gly)p／(ＡＯ)q](Ｒ13)p+1      (d)
【００３０】
〔式中、
Glyは、下記式(Gly1)で表される基（以下、基(Gly1)という）及び式(Gly2)で表される基（以下、基(Gly2)という）からなる群より選択される基を示し、ｐは０以上20以下の数を示す。
【００３１】
【化３】
2015017236.tif 000004
【００３２】
Ａは、炭素数２以上４以下のアルキレン基を示し、ｑは、前記ｐが０である場合には２以上20以下の数を、前記ｐが１以上である場合には０以上20以下の数を示す。
“／”は、ｐ個のGlyとｑ個のＡＯが順不同に、それぞれの酸素原子と他の基の炭素原子とで結合していることを示す。
Ｒ13は、水素原子、炭素数１以上24以下の鎖状炭化水素基、及び炭素数３以上12以下の環状炭化水素基からなる群より選択される原子又は基を示し、基(Gly1)、基(Gly2)又はＡＯの酸素原子に結合する。
当該基(D3)は、Gly又はＡＯの炭素原子によって一般式(D1a)又は(D2a)中の複素環に結合する。〕
【００３３】
一般式(D1a)及び一般式(D2a)中のＲ1aが、置換基を有していてもよい炭素数１以上24以下の鎖状炭化水素基である場合、その炭素数は、好ましくは２以上であり、また、好ましくは20以下、より好ましくは10以下である。Ｒ1aが、置換基を有していてもよい炭素数３以上18以下の環状炭化水素基である場合、その炭素数は、好ましくは５以上、より好ましくは６以上、また、好ましくは15以下、より好ましくは10以下である。これら鎖状炭化水素基及び環状炭化水素基は、飽和、不飽和のいずれでもよい。これら鎖状炭化水素基及び環状炭化水素基が有し得る置換基としては、水酸基、炭素数１以上12以下のアルキル基が１個以上置換してもよいアミノ基、及び炭素数１以上６以下のアルコキシ基からなる群より選択される１以上の基が挙げられる。
【００３４】
Ｒ1aが、基(d)である場合、一般式(d)中のｐとｑの合計は１以上、好ましくは２以上であり、また、好ましくは20以下、より好ましくは10以下、更に好ましくは５以下であり、
ｐは０以上、好ましくは１以上、より好ましくは２以上の数であり、また、20以下、好ましくは10以下、より好ましくは５以下、更に好ましくは３以下の数である。
ｐが１以上である場合、ｑは０以上、好ましくは１以上、より好ましくは２以上の数であり、また、20以下、好ましくは10以下、より好ましくは５以下の数である。ｐが０である場合、ｑは２以上、好ましくは３以上の数であり、また、20以下、好ましくは10以下、より好ましくは５以下の数である。
【００３５】
Ｒ1aが、基(d)である場合、一般式(d)中のＲ13の炭素数１以上24以下の鎖状炭化水素基、及び炭素数３以上12以下の環状炭化水素基としては、それぞれ、Ｒ1aとして挙げたものを選定できる。Ｒ13は水素原子が好ましい。
【００３６】
Ｒ1aは、炭素数１以上、更には２以上の、また、炭素数24以下、更には20以下、更には10以下の鎖状炭化水素基が好ましく、炭素数１以上、更には２以上の、また、炭素数24以下、更には20以下、更には10以下の直鎖炭化水素基、及び炭素数３以上、また、炭素数24以下、更には20以下、更には10以下の分岐鎖炭化水素基からなる群より選択される炭化水素基がより好ましく、炭素数１以上、更には２以上、また、炭素数24以下、更には10以下の、直鎖炭化水素基が更に好ましく、炭素数１以上、更には２以上、また、炭素数24以下、更には20以下、更には10以下の、直鎖アルキル基が更に好ましい。
【００３７】
一般式(D1a)及び(D2a)中のＲ2a又はＲ3aが、置換基を有していてもよい炭素数１以上24以下の鎖状炭化水素基である場合、その炭素数は、好ましくは２以上であり、また、好ましくは20以下、より好ましくは10以下である。Ｒ2a又はＲ3aが、置換基を有していてもよい炭素数３以上18以下の環状炭化水素基である場合、その炭素数は、好ましくは５以上、より好ましくは６以上、また、好ましくは15以下、より好ましくは10以下である。これら鎖状炭化水素基及び環状炭化水素基は、飽和、不飽和のいずれでもよい。これら鎖状炭化水素基及び環状炭化水素基が有し得る置換基としては、水酸基、炭素数１以上12以下のアルキル基が１個以上置換してもよいアミノ基、及び炭素数１以上６以下のアルコキシ基からなる群より選択される１以上の基が挙げられる。
【００３８】
Ｒ2a及びＲ3aが、基(d)である場合、一般式(d)中のｐとｑの合計は１以上、好ましくは２以上であり、また、好ましくは20以下、より好ましくは10以下、更に好ましくは５以下であり、
ｐは、０以上、好ましくは１以上、より好ましくは２以上の数であり、また、20以下、好ましくは10以下、より好ましくは５以下、更に好ましくは３以下の数である。
ｐが１以上である場合、ｑは０以上、好ましくは１以上、より好ましくは２以上の数であり、また、20以下、好ましくは10以下、より好ましくは５以下の数である。ｐが０である場合、ｑは２以上、好ましくは３以上の数であり、また、20以下、好ましくは10以下、より好ましくは５以下の数である。
【００３９】
Ｒ2a及びＲ3aが、基(d)である場合、一般式(d)中のＲ13の炭素数１以上24以下の鎖状炭化水素基、及び炭素数３以上12以下の環状炭化水素基としては、それぞれ、Ｒ2a、Ｒ3aとして挙げたものを選定できる。Ｒ13は水素原子が好ましい。
【００４０】
なお、Ｒ2a及びＲ3aが共に水素原子でない場合、これらが共同して隣接する四級炭素原子と共に環構造を形成してもよい。
【００４１】
Ｒ2a及びＲ3aは、それぞれ独立して、水素原子又は置換基を有していてもよい炭素数１以上、更には２以上の、また、炭素数24以下、更には20以下、更には10以下の鎖状炭化水素基であることが好ましく、水素原子又は炭素数１以上、更には２以上の、また、炭素数24以下、更には20以下、更には10以下の直鎖炭化水素基、及び炭素数３以上、また、炭素数24以下、更には20以下、更には10以下の分岐鎖炭化水素基からなる群より選択される炭化水素基であることがより好ましく、水素原子又は炭素数１以上、更には２以上の、また、炭素数24以下、更には10以下の直鎖炭化水素基であることがより好ましく、水素原子又は炭素数１以上、更には２以上の、また、炭素数24以下、更には20以下、更には10以下の直鎖アルキル基であることが更に好ましい。
【００４２】
一般式(D1a)及び(D2a)中のＲ4a又はＲ5aが、置換基を有していてもよい炭素数１以上24以下の鎖状炭化水素基である場合、その炭素数は、好ましくは２以上であり、また、好ましくは20以下、より好ましくは10以下である。Ｒ4a又はＲ5aが、置換基を有していてもよい炭素数３以上18以下の環状炭化水素基である場合、その炭素数は、好ましくは５以上、より好ましくは６以上であり、また、好ましくは15以下、より好ましくは10以下である。これら鎖状炭化水素基及び環状炭化水素基は、飽和、不飽和のいずれでもよい。これら鎖状炭化水素基及び環状炭化水素基が有し得る置換基としては、水酸基、炭素数１以上12以下のアルキル基が１個以上置換してもよいアミノ基、及び炭素数１以上６以下のアルコキシ基からなる群より選択される１以上の基が挙げられる。
【００４３】
Ｒ4a又はＲ5aが、基(d)である場合、一般式(d)中のｐとｑの合計は１以上、好ましくは２以上であり、また、好ましくは20以下、より好ましくは10以下、更に好ましくは５以下であり、
ｐは、０以上、好ましくは１以上、より好ましくは２以上の数であり、また、20以下、好ましくは10以下、より好ましくは５以下、更に好ましくは３以下の数である。
ｐが１以上である場合、ｑは０以上、好ましくは１以上、より好ましくは２以上の数であり、また、20以下、好ましくは10以下、より好ましくは５以下の数である。ｐが０である場合、ｑは２以上、好ましくは３以上の数であり、また、20以下、好ましくは10以下、より好ましくは５以下の数である。
【００４４】
Ｒ4a又はＲ5aが、基(d)である場合、一般式(d)中のＲ13の炭素数１以上24以下の鎖状炭化水素基及び炭素数３以上12以下の環状炭化水素基としては、それぞれ、Ｒ4a、Ｒ5aとして挙げたものを選定できる。Ｒ13は水素原子が好ましい。
【００４５】
Ｒ4a、Ｒ5aは、それぞれ独立して、水素原子、置換基を有していてもよい炭素数１以上、更には２以上の、また、炭素数24以下、更には20以下、更には10以下の鎖状炭化水素基、及び基(d)からなる群より選択される原子又は基が好ましく、水素原子、炭素数１以上、更には２以上の、また、炭素数24以下、更には20以下、更には10以下の直鎖炭化水素基、炭素数３以上、また、炭素数24以下、更には20以下、更には10以下の分岐鎖炭化水素基、及び基(d)からなる群より選択される原子又は基がより好ましく、水素原子、炭素数１以上、更には２以上の、また、炭素数24以下、更には10以下の直鎖炭化水素基、及び基(d)からなる群より選択される基がより好ましく、水素原子、炭素数１以上、更には２以上、また、炭素数24以下、更には20以下、更には10以下の直鎖アルキル基、及び基(d)からなる群より選択される原子又は基が更に好ましい。
【００４６】
なお、Ｒ4a、Ｒ5aが共に水素原子又は水酸基でない場合、これらが共同して隣接する窒素原子と共に環構造を形成してもよい。
【００４７】
一般式(D1a)で表される化合物及び一般式(D2a)で表される化合物は、Ｒ4a、Ｒ5aとして、前記基(d)を有することが好ましい。すなわち、Ｒ4a、Ｒ5aの一方又は両方が、基(d)であることが好ましい。また、一般式(D1a)又は一般式(D2a)において、Ｒ4a、Ｒ5aの一方が、基(d)であり、他方が水素原子であることも好ましい。また、一般式(D1a)又は一般式(D2a)において、Ｒ4a、Ｒ5aの一方が、基(d)であり、他方が水素原子であり、かつ、一般式(d)中のｐが２以上の、また、20以下、更には10以下、更には５以下、更に３以下の数であることも好ましい。また、一般式(D1a)又は一般式(D2a)において、Ｒ4a、Ｒ5aの両方が、基(d)であることも好ましい。
【００４８】
一般式(D1a)又は(D2a)中のＲ6aが、炭素数１以上12以下のアシルオキシ基である場合、その炭素数は、好ましくは２以上、また、好ましくは10以下である。Ｒ6aが、炭素数１以上12以下のアルコキシ基である場合、その炭素数は、好ましくは２以上、また、好ましくは10以下である。Ｒ6aが、置換基を有していてもよい炭素数１以上24以下の鎖状炭化水素基である場合、直鎖、分岐鎖のいずれでもよく、アルキル基、アルケニル基が挙げられる。Ｒ6aが、置換基を有していてもよい炭素数１以上24以下の鎖状炭化水素基である場合、その炭素数は、好ましくは２以上であり、また、好ましくは20以下、より好ましくは10以下、更に好ましくは５以下である。Ｒ6aが、置換基を有していてもよい炭素数３以上18以下の環状炭化水素基である場合、その炭素数は、好ましくは５以上、より好ましくは６以上であり、また、好ましくは15以下、より好ましくは10以下である。これら鎖状炭化水素基及び環状炭化水素基は、飽和、不飽和のいずれでもよい。これら鎖状炭化水素基及び環状炭化水素基が有し得る置換基としては、水酸基、炭素数１以上12以下のアルキル基が１個以上置換してもよいアミノ基、及び炭素数１以上６以下のアルコキシ基からなる群より選択される１以上の基が挙げられる。
【００４９】
一般式(D1a)又は(D2a)中のＲ6aが、基(d)である場合、ｐとｑの合計は１以上、好ましくは２以上であり、また、好ましくは20以下、より好ましくは10以下、更に好ましくは５以下であり、
ｐは０以上、好ましくは１以上、より好ましくは２以上の数であり、また、20以下、好ましくは10以下、より好ましくは５以下、更に好ましくは３以下の数である。
ｐが１以上である場合、ｑは０以上、好ましくは１以上、より好ましくは２以上の数であり、また、20以下、好ましくは10以下、より好ましくは５以下の数であり、ｐが０である場合、ｑは２以上、好ましくは３以上の数であり、また、20以下、好ましくは10以下、より好ましくは５以下の数である。
【００５０】
Ｒ6aが、基(d)である場合、一般式(d)中のＲ13の炭素数１以上24以下の鎖状炭化水素基、及び炭素数３以上12以下の環状炭化水素基としては、それぞれ、Ｒ6aとして挙げたものを選定できる。Ｒ7は水素原子が好ましい。
【００５１】
Ｒ6aは、水素原子及び置換基を有していてもよい炭素数１以上、更には２以上の、また、炭素数24以下、更には20以下、更には10以下の鎖状炭化水素基からなる群より選択される原子又は基が好ましく、水素原子、炭素数１以上、更には２以上の、また、炭素数24以下、更には20以下、更には10以下の直鎖炭化水素基、及び炭素数３以上の、また、炭素数24以下、更には20以下、更には10以下の分岐鎖炭化水素基からなる群より選択される原子又は基がより好ましく、水素原子及び炭素数１以上、更には２以上の、また、炭素数24以下、更には10以下の直鎖炭化水素基からなる群より選択される原子又は基がより好ましく、水素原子及び炭素数１以上、更には２以上の、また、炭素数24以下、更には20以下、更には10以下の置換基を有していてもよい直鎖アルキル基からなる群より選択される原子又は基が更に好ましく、中でも水素原子が好ましい。
【００５２】
なお、Ｒ6a、Ｒ4a及びＲ5aが全て鎖状炭化水素基の場合、Ｒ6aはＲ4a又はＲ5aと共同して隣接する窒素原子と共に環構造を形成してもよい。
【００５３】
一般式(D1a)において、ｎは１が好ましい。
【００５４】
一般式(D3)又は(D4)で表される環状アミン化合物としては、下記一般式(D3a)又は(D4a)で表されるものが好ましい。
【００５５】
【化４】
2015017236.tif 000005
【００５６】
〔式中、
Ｒ7a、Ｒ8a、Ｒ10a及びＲ11aは、それぞれ独立して、水素原子、水酸基、置換基を有していてもよい炭素数１以上24以下の鎖状炭化水素基、置換基を有していてもよい炭素数３以上18以下の環状炭化水素基、及び前述の基(d)からなる群より選択される原子又は基を示す。
Ｒ9a及びＲ12aは、水酸基、カルボキシ基、炭素数２以上13以下のアシルオキシ基、炭素数２以上13以下のアルコキシカルボニル基、炭素数１以上12以下のアルコキシ基、置換基を有していてもよい炭素数１以上24以下の鎖状炭化水素基、置換基を有していてもよい炭素数３以上18以下の環状炭化水素基、及び前述の基(d)からなる群より選択される基を示す。
Ｒ9a及びＲ12aが環状に複数個存在する場合、複数のＲ9a又はＲ12aはそれぞれ同一であっても異なってもよい。
ｊ及びｋは、前述と同じ意味を示す。〕
【００５７】
一般式(D3a)中のＲ7a及びＲ8a、並びに一般式(D4a)中のＲ10a及びＲ11aのうち、置換基を有していてもよい炭素数１以上24以下の鎖状炭化水素基としては、飽和でも不飽和でもよく、また直鎖でも分岐鎖でもよい。かかる鎖状炭化水素基としては、アルキル基又はアルケニル基が挙げられ、その炭素数は、好ましくは２以上であり、また、好ましくは20以下、より好ましくは16以下、更に好ましくは12以下、更に好ましくは６以下、更に好ましくは４以下である。この炭素数は、鎖状炭化水素基が置換基を有する場合は、置換基を除いた部分の炭素数である。鎖状炭化水素基の具体例としては、メチル基、エチル基、n-プロピル基、イソプロピル基、n-ブチル基、sec-ブチル基、tert-ブチル基、n-ペンチル基、n-ヘキシル基、n-オクチル基、n-デシル基、n-ドデシル基、2-エチルヘキシル基が挙げられる。
【００５８】
また、一般式(D3a)中のＲ7a及びＲ8a、並びに一般式(D4a)中のＲ10a及びＲ11aのうち、置換基を有していてもよい炭素数３以上18以下の環状炭化水素基としては、飽和でも不飽和でもよく、またその炭素数は、好ましくは５以上、より好ましくは６以上、また、好ましくは15以下、より好ましくは12以下、更に好ましくは10以下である。この炭素数は、環状炭化水素基が置換基を有する場合は、置換基を除いた部分の炭素数である。環状炭化水素基の具体例としては、フェニル基、ベンジル基、シクロヘキシル基、シクロペンチル基が挙げられる。
【００５９】
これら鎖状炭化水素基及び環状炭化水素基が有してもよい置換基としては、水酸基、炭素数１以上12以下のアルキル基が１個以上置換してもよいアミノ基、炭素数１以上６以下のアルコキシ基が挙げられる。置換基を有する炭化水素基としては、2-ヒドロキシエチル基、3-ヒドロキシプロピル基、2-メトキシエチル基、3-メトキシプロピル基、2-(ジメチルアミノ)エチル基、3-(ジメチルアミノ)プロピル基が挙げられる。
【００６０】
また、一般式(D3a)中のＲ7a及びＲ8a、並びに一般式(D4a)中のＲ10a及びＲ11aのうち、基(d)において、一般式(d)中のＲ13は、鎖状炭化水素基であることが好ましく、また、炭素数が３以上、更には５以上、更には７以上、更には８以上、更には９以上、更には10以上であることが好ましく、また、炭素数が20以下、更には15以下であることが好ましい。なお、一般式(D4a)中のＲ10a及びＲ11aについては、基(d)は分岐鎖を有する鎖状炭化水素基であることがより好ましい。
【００６１】
一般式(D3a)中、Ｒ7a及びＲ8aとしては、漂白性能向上の点から、それぞれ独立に、水素原子、置換基を有していてもよい炭素数１以上24以下の鎖状炭化水素基、置換基を有していてもよい炭素数３以上18以下の環状炭化水素基、及び前述の基(d)からなる群より選択される原子又は基が好ましい。更には、水素原子、置換基を有していてもよい炭素数１以上24以下の鎖状炭化水素基、及び基(d)からなる群より選択される原子又は基が好ましい。更には、水素原子又は基(d)であることが好ましい。Ｒ7a及びＲ8aは、同一であっても異なっていてもよいが、同一であることが好ましい。
【００６２】
一般式(D4a)中、Ｒ10a及びＲ11aとしては、漂白性能向上の点から、それぞれ独立に、水素原子、置換基を有していてもよい炭素数１以上24以下の鎖状炭化水素基、置換基を有していてもよい炭素数３以上18以下の環状炭化水素基、及び前述の基(d)からなる群より選択される原子又は基が好ましい。更には、置換基を有していてもよい炭素数１以上24以下の鎖状炭化水素基又は基(d)であることが好ましい。更には、基(d)であることが好ましい。Ｒ10a及びＲ11aは、同一であっても異なっていてもよいが、同一であることが好ましい。
【００６３】
一般式(D3a)において、Ｒ7a及びＲ8aの少なくとも一方、更には両方が、基(d)であることが好ましい。また、一般式(D4a)において、Ｒ10a及びＲ11aの少なくとも一方、更には両方が、基(d)であることが好ましい。
【００６４】
一般式(D3a)中のＲ9a及び一般式(D4a)中のＲ12aのうち、置換基を有していてもよい炭素数１以上24以下の鎖状炭化水素基、置換基を有していてもよい炭素数３以上18以下の環状炭化水素基、及び基(d)における好ましい態様及び具体例は、Ｒ7a、Ｒ8a、Ｒ10a及びＲ11aとして示したものと同じものを挙げることができる。
【００６５】
一般式(D3a)中のＲ9a及び一般式(D4a)中のＲ12aとしては、置換基を有していてもよい炭素数１以上24以下の鎖状炭化水素基が好ましく、メチル基がより好ましい。
【００６６】
一般式(D3a)において、ｊとしては、０以上５以下の整数が好ましく、０以上２以下の整数がより好ましく、０及び１が更に好ましく、０が更に好ましい。また、一般式(D4a)において、ｋとしては、０及び１が好ましく、０がより好ましい。
【００６７】
漂白性能を高める観点から、成分(D)は、酸化電位が0.4Ｖ以上、更には0.45Ｖ以上、更には0.45Ｖ以上、更には0.5Ｖ以上であることが好ましく、また10Ｖ以下、更には0.95Ｖ以下、更には0.8Ｖ以下、更には0.7Ｖ以下、更には0.65Ｖ以下、更には0.6Ｖ以下であることが好ましい。本発明において、成分(D)についての酸化電位は、サイクリックボルタンメトリーの酸化波のピーク位置と定義し、サイクリックボルタンメトリーにより10mM、pH12の水溶液として、25℃で測定されたものとする。
【００６８】
本発明の成分(D)を以下に例示する。なお、例示中の化合物番号は、後述の実施例で用いた化合物の番号と一致する。
【００６９】
【化５】
2015017236.tif 000006
【００７０】
【化６】
2015017236.tif 000007
【００７１】
【化７】
2015017236.tif 000008
【００７２】
【化８】
2015017236.tif 000009
【００７３】
【化９】
2015017236.tif 000010
【００７４】
【化１０】
2015017236.tif 000011
【００７５】
【化１１】
2015017236.tif 000012
【００７６】
成分(D)のうち、一般式(D1)で表される化合物は、例えば特開2007-246455号公報の段落0029〜0125、特開2004-26790号公報の段落0029〜0068に記載されている方法に従って合成することができ、一般式(D2)で表される化合物は、例えば特開2007-246456号公報の段落0027〜0097に記載されている方法に従って合成することができる。
一般式(D3)で表される化合物は、例えばホモピペラジンに対し、ハロゲン化アルキル等の公知の求核置換反応試薬を反応させることで合成できる。また、Ｒ7、Ｒ8が置換基として水酸基を有する場合には、エポキシ化合物を反応させることで合成することができる。
一般式(D4)で表される化合物は、例えばピペラジンに対し、ハロゲン化アルキル等の公知の求核置換反応試薬を反応させることで合成できる。また、Ｒ10、Ｒ11が置換基として水酸基を有する場合には、エポキシ化合物を反応させることで合成することができる。
【００７７】
＜成分(E)：有機過酸前駆体又は有機過酸＞
成分(E)は有機過酸前駆体及び有機過酸からなる群より選択される１以上の化合物である。
【００７８】
成分(E)のうち、有機過酸前駆体としては、下記一般式(E1)で表される化合物が挙げられる。
【００７９】
【化１２】
2015017236.tif 000013
【００８０】
〔式中、Ｒ8は炭素数５以上19以下のアルキル基又はアルケニル基を示し、ＺはＳＯ3Ｍ又はＣＯＯＭを示し、Ｍは陽イオンを示す。〕
【００８１】
一般式(E1)におけるＲ8の炭素数は、組成物中での安定性を更に高める観点から、好ましくは８以上、更に好ましくは９以上、更に好ましくは10以上、更に好ましくは11以上であり、また、過酸化水素を有効に反応し、効率よく有機過酸を生成する観点から、好ましくは15以下、更に好ましくは13以下、更に好ましくは11以下である。
【００８２】
組成物中での安定性を更に高め、また、過酸化水素を有効に反応し、効率よく有機過酸を生成するために、一般式(E1)におけるＲ8は、炭素数11であることが好ましく、また、アルキル基であることが好ましい。
【００８３】
一般式(E1)におけるＭの陽イオンとしては、ナトリウムイオン、カリウムイオン等のアルカリ金属イオン、アンモニウムイオン、炭素数３以上15以下、更には炭素数７以上15以下のアルキルアンモニウムイオン、モノエタノールアンモニウムイオン、ジエタノールアンモニウムイオン、トリエタノールアンモニウムイオン等が挙げられ、アルカリ金属イオンが好ましい。
【００８４】
一般式(E1)で表される有機過酸前駆体としては、アルカノイル基の炭素数が６以上20以下のアルカノイルオキシベンゼンスルホン酸塩及びアルカノイル基の炭素数が６以上20以下のアルカノイルオキシベンゼンカルボン酸塩からなる群より選択される１以上の化合物が好ましく、アルカノイル基の炭素数が６以上20以下のアルカノイルオキシベンゼンスルホン酸塩がより好ましい。これらのアルカノイル基の炭素数は、16以下、更には14以下、更には12以下が好ましい。
【００８５】
また、成分(E)のうち、有機過酸としては、アルカノイル基の炭素数が６以上20以下の過カルボン酸、アルカノイル基の炭素数が６以上20以下のアルカノイルオキシベンゼン過カルボン酸、3-ヒドロキシ過安息香酸、4-ヒドロキシ過安息香酸からなる群より選択される１以上の化合物が好ましく、アルカノイル基の炭素数が６以上20以下の過カルボン酸及び／又はアルカノイル基の炭素数が６以上20以下の過カルボン酸と4−ヒドロキシ過安息香酸の混合物がより好ましい。これらのアルカノイル基の炭素数は、16以下、更には14以下、更には12以下が好ましい。
【００８６】
漂白性能を高める観点と、組成物中での安定性が高い観点から、成分(E)としては、前記一般式(E1)で表される有機過酸前駆体である化合物が好ましい。
【００８７】
＜成分(A)〜(E)の含有量・比率＞
本発明の漂白洗浄剤組成物は、成分(A)及び成分(C)の保存安定性の観点から、成分(A)を含有する第１剤、成分(B)及び(C)を含有する第２剤を使用直前に混合し、成分(A)、(B)、(C)、(D)及び(E)を含有する組成物にして使用する漂白洗浄剤組成物である。第１剤は成分(A)及び(E)を含有し、第２剤は成分(A)を含有せず、成分(B)、(C)及び(D)を含有することが好ましい。
【００８８】
本発明の漂白洗浄剤組成物において、第１剤中の成分(A)の含有量は、過酸化水素として、0.02質量％以上、更には0.2質量％以上、更には２質量％以上が好ましく、また、50質量％以下、更には30質量％以下、更には10質量％以下、更には５質量％以下、更には３質量％以下が好ましい。
【００８９】
また、漂白性能を高める観点から、第１剤と第２剤の混合物（以下、単に「混合物」という）中における成分(A)の含有量は、過酸化水素として、0.01質量％以上、更には0.1質量％以上、更には１質量％以上、更には２質量％以上が好ましく、また、保存安定性の観点から、50質量％以下、更には30質量％以下、更には20質量％以下、更には10質量％以下が好ましい。以下、成分(A)の量は、特記しない限り、過酸化水素としての量をいう。
【００９０】
本発明の漂白洗浄剤組成物において、第１剤中の成分(E)の含有量は、0.02質量％以上、更には0.2質量％以上、更には２質量％以上、更には３質量％以上が好ましく、また、50質量％以下、更には30質量％以下、更には10質量％以下、更には５質量％以下が好ましい。
【００９１】
また、漂白性能を高める観点から、混合物中における成分(E)の含有量は、0.01質量％以上、更には0.1質量％以上、更には１質量％以上、更には２質量％以上が好ましく、また、保存安定性の観点から、30質量％以下、更には20質量％以下、更には10質量％以下が好ましい。
【００９２】
本発明の漂白洗浄剤組成物において、第２剤中の成分(B)の含有量は、0.02質量％以上、更には0.2質量％以上、更には２質量％以上が好ましく、また、50質量％以下、更には20質量％以下、更には10質量％以下、更には５質量％以下が好ましい。
【００９３】
また、漂白性能を高める観点から、混合物中における成分(B)の含有量は、0.01質量％以上、更には0.1質量％以上、更には１質量％以上が好ましく、また、漂白性能を高める観点から、50質量％以下、更には30質量％以下、更には20質量％以下、更には10質量％以下、更には５質量％以下が好ましい。
【００９４】
本発明の漂白洗浄剤組成物において、第２剤中の成分(C)の含有量は、アミン臭及び高級脂肪酸臭の消臭の観点から、0.001質量％以上、更には0.01質量％以上、更には0.1質量％以上が好ましく、また、保存安定性の観点から、10質量％以下、更には１質量％以下、更には0.5質量％以下が好ましい。
【００９５】
また、アミン臭及び高級脂肪酸臭の消臭の観点から、混合物中における成分(C)の含有量は、0.0005質量％以上、更には0.005質量％以上、更には0.01質量％以上、更には0.1質量％以上が好ましく、また、保存安定性の観点から、５質量％以下、更には0.5質量％以下が好ましい。
【００９６】
成分(C)は後述する成分(F)と共に香料組成物として第２剤中に配合するのが好ましい。香料組成物中における成分(C)の含有量は、アミン臭及び高級脂肪酸臭の消臭の観点から、0.1質量％以上、更には１質量％以上、更には10質量％以上、更には20質量％以上が好ましい。
【００９７】
本発明の漂白洗浄剤組成物において、第２剤中の成分(D)の含有量は0.02質量％以上、更には0.2質量％以上、更には0.3質量％以上が好ましく、また、40質量％以下、更には20質量％以下、更には５質量％以下、更には２質量％以下が好ましい。
【００９８】
また、漂白性能を高める観点から、混合物中における成分(D)の含有量は、0.001質量％以上、更には0.01質量％以上、更には0.1質量％以上が好ましく、また、経済的な観点から、10質量％以下、更には５質量％以下、更には２質量％以下が好ましい。
【００９９】
混合物中における成分(E)の含有量に対する成分(D)の含有量の質量比(D)／(E)は、漂白性能を高める観点から、0.01以上、更には0.1以上が好ましく、また、50以下、更には30以下、更には20以下、更には15以下、更には10以下が好ましい。
【０１００】
混合物中における成分(D)の含有量に対する成分(C)の含有量の質量比(C)／(D)は、アミン臭の消臭の観点から、0.005以上、更には0.05以上、更には0.1以上、更には0.5以上、更には１以上が好ましく、また、50以下、更には10以下、更には５以下が好ましい。
【０１０１】
混合物中における成分(C)の含有量に対する成分(E)の含有量の質量比(E)／(C)は高級脂肪酸臭の消臭の観点から、0.1以上、更には0.5以上、更には１以上が好ましく、また、4000以下、更には400以下、更には50以下が好ましい。
【０１０２】
混合物中における成分(D)の含有量に対する成分(A)の含有量の質量比(A)／(D)は、漂白性能を高める観点から、0.1以上、更には0.2以上、更には0.5以上、更には１以上、更には３以上、更には５以上が好ましく、また、50以下、更には30以下、更には20以下、更には15以下、更には10以下が好ましい。
【０１０３】
混合物中における成分(E)の含有量に対する成分(A)の含有量の質量比(A)／(E)は、漂白性能を高める観点から、0.01以上、更には0.05以上、更には0.1以上、更には0.3以上、更には0.5以上が好ましく、また、50以下、更には30以下、更には20以下、更には10以下、更には５以下、更には２以下が好ましい。
【０１０４】
混合物中における成分(D)の含有量と成分(E)の含有量の合計に対する成分(A)の含有量の質量比(A)／〔(D)＋(E)〕は、漂白性能を高める観点から、0.01以上、更には0.05以上、更には0.1以上、更には0.3以上が好ましく、また、20以下、更には10以下、更には５以下、更には３以下、更には１以下、更には0.8以下が好ましい。
【０１０５】
＜成分(F)：他の香料＞
本発明の漂白剤組成物には成分(F)として成分(C)以外の任意の香料及び希釈溶剤を使用することができる。任意の香料としては、『香料と調香の基礎知識』（中島基貴編著，産業図書株式会社，1995年６月21日初版）、『合成香料―化学と商品知識』（印藤元一著、化学工業日報社、2005年3月25日  増補改訂版）、『Perfume and Flavor Chemicals』（ステファン・アークテンダー著、自費出版、1969年）に記載されている香料を使用することができる。任意の希釈溶剤としては、ジプロピレングリコール、ジエチレングリコール、グリセリン、クエン酸トリエチル、トリアセチン、ミリスチン酸ベンジル、フタル酸ジエチル等を使用することができる。
【０１０６】
成分(F)として用いる香料及び希釈溶剤は１種でも２種以上でもよい。また、本発明において、成分(F)を成分(C)と共に香料組成物として配合することが好ましい。混合物中における香料組成物の含有量は、アミン臭及び高級脂肪酸臭の消臭の観点から、0.01〜50質量％が好ましい。また、保存安定性の観点から、第２剤中の含有量は、0.1〜10質量％が好ましい。
【０１０７】
＜成分(G)：界面活性剤＞
本発明の漂白洗浄剤組成物は、更に、成分(G)として界面活性剤を含有することが好ましい。成分(G)としては、非イオン界面活性剤、カチオン界面活性剤、両性界面活性剤及びアニオン界面活性剤からなる群より選択される１以上の界面活性剤が挙げられ、成分(E)の保存安定性の観点から、非イオン界面活性剤が好ましい。また、成分(G)の総量中、非イオン界面活性剤の割合が、50質量％以上、更には60質量％以上、更には70質量％以上、更には80質量％以上であることが好ましい。
【０１０８】
成分(G)は第１剤に配合しても、第２剤に配合してもよいが、第１剤に配合することが好ましく、両方に配合することがより好ましい。成分(G)を第１剤に配合する場合における第１剤中の成分(G)の含有量は、漂白性能及び保存安定性を高める観点から、0.1質量％以上、更には１質量％以上、更には４質量％以上が好ましく、また、液の粘度を低くして取り扱いを良好にする観点から、50質量％以下、更には30質量％以下、更には15質量％以下が好ましい。また、成分(G)を第２剤に配合する場合における第２剤中の成分(G)の含有量は、0.01質量％以上、更には0.1質量％以上、更には0.5質量％以上が好ましく、また、50質量％以下、更には30質量％以下、更には10質量％以下が好ましい。
【０１０９】
＜成分(H)：キレート剤＞
本発明の漂白洗浄剤組成物は、更に、成分(H)としてキレート剤を含有することが好ましい。キレート剤の具体例としては、エチレンジアミン四酢酸、ニトリロトリ酢酸、ヒドロキシエチルイミノジ酢酸等のアミノ酸系キレート剤、1-ヒドロキシエチリデン-1,1-ジホスホン酸、エタンヒドロキシ-1,12-トリホスホン酸、エタン-12-ジカルボキシ-12-ジホスホン酸、メタンヒドロキシホスホン酸等のホスホン酸系キレート剤、アクリル酸／マレイン酸コポリマー等のカルボン酸系ポリマー、トリポリリン酸等のポリリン酸系キレート剤を挙げることができる。これらの中でも、ホスホン酸系キレート剤及びカルボン酸系キレート剤からなる群より選択される１以上のキレート剤が好ましい。
【０１１０】
本発明の漂白洗浄剤組成物は、組成物の安定性の観点から、成分(H)を、好ましくは混合物中に0.01質量％以上、更には0.1質量％以上、更には0.2質量％以上、更には0.3質量％以上、更には0.4質量％以上含有する。また、本発明の漂白洗浄剤組成物は、混合後のpH値をアルカリ性とするために、成分(H)を、好ましくは30質量％以下、更には20質量％以下、更には10質量％以下、更には５質量％以下、更には３質量％以下、更には１質量％以下、更には0.5質量％以下含有する。
【０１１１】
＜成分(I)：水＞
本発明の漂白洗浄剤組成物の第１剤及び第２剤は、更に成分(I)として水を含有する液状の形態であることが好ましい。水は、各組成物における他の配合成分の残量（組成物全体を100質量％とする量）で用いられるのが好ましい。
【０１１２】
＜その他の成分＞
本発明の漂白洗浄剤組成物は、その他、pH調整剤、可溶化剤、浸透剤、懸濁化剤、研磨剤、顔料等の任意成分を含有することができる。
【０１１３】
＜pH＞
第１剤のpHは、20℃において、１以上、更には２以上、更には2.5以上であることが好ましく、また、５以下、更には４以下、更には3.5以下であることが好ましい。
【０１１４】
第２剤のpHは、20℃において、11以上、更には12以上、更には13以上が好ましく、また、13.8以下、更には13.6以下であることが好ましい。
【０１１５】
また、混合物のpHは、20℃において、９以上、更には10以上、更には11以上が好ましく、また、13以下、更には12.8以下、更には12．5以下であることが好ましい。
【０１１６】
＜用途＞
本発明の漂白洗浄剤組成物は、風呂、トイレ、台所等の硬質表面の漂白、カビ取り；衣類の漂白、汚れ又は匂いの原因物質の分解、除菌；パルプの漂白等、ある対象物に対して酸化作用が有用な効果をもたらす様々な用途に用いることができる。例えば、本発明の漂白洗浄剤組成物は、硬質表面用の漂白剤又は硬質表面用の漂白洗浄剤や、衣料用洗浄剤として用いることができ、消臭剤、除菌剤、殺菌剤、カビ取り剤として使用することもできる。なかでも、硬質表面の漂白用又は漂白洗浄用に用いることが好ましく、浴室用のカビ取り剤として用いることも好ましい。カビが発生する硬質表面は一般に耐酸化性が高いこと、及び本発明の漂白洗浄剤組成物が従来技術では除去困難であったカビ汚れに対して顕著な漂白効果を示すことから、本発明の漂白洗浄剤組成物は、カビ取り剤として用いることが最も好ましい。
【０１１７】
＜剤型＞
本発明の漂白洗浄剤組成物は、該組成物をスプレー式容器に充填し、対象物にスプレーして用いることが好ましい。
【０１１８】
本発明の漂白洗浄剤組成物は、第１剤と第２剤を分離して収容する収容部と、各収容部から内容物を噴霧する２つのスプレー手段とを備えた容器を用いた２剤型スプレー式漂白洗浄剤物品の形態で使用されることが好ましい。この形態のスプレー物品では、それぞれの収容部から排出される第１の液体組成物と第２の液体組成物が、噴出直後に合一されて混合した状態で対象物に噴射されることが好ましい。従って、それぞれのスプレー口から噴射された内容物が混合されて対象物に付着するよう、２つのスプレー口の開口方向の角度を調整することが好ましい。また、噴出した液が先端部分で固化することを防止するために、２つのスプレー口の間隔は0.01mm以上、更には0.1mm以上、更には１mm以上、更には３mm以上であることが好ましく、噴出した液が混合しやすくするために、10mm以下、更には８mm以下、更には５mm以下であることが好ましい。
【実施例】
【０１１９】
実施例１〜13、比較例１〜２
表１に示す組成のＡ液及びＢ液を調製し、両者を等量混合して漂白洗浄剤水溶液（pH11.5）を得た。
【０１２０】
【表１】
2015017236.tif 000014
【０１２１】
＜アミン臭抑臭効果＞
この水溶液を使用し、トリガー式スプレーヤー（１回の噴霧量１mL）で浴槽の内壁面に３回スプレーし、噴霧直後のアミン臭の抑臭効果を以下の基準で評価した。評価は専門パネラー３人で行い、協議により最終評価を決定した。
【０１２２】
○：アミン臭が全くしない。
△：アミン臭がごく僅かにある。
×：アミン臭が明らかにある。
【０１２３】
＜高級脂肪酸臭抑臭効果＞
噴霧５分後、浴槽内壁面を水で洗い流した後の高級脂肪酸臭の抑臭効果を以下の基準で評価した。評価は専門パネラー３人で行い、協議により最終評価を決定した。
○：高級脂肪酸臭が全くしない。
△：高級脂肪酸臭がごく僅かにある。
×：高級脂肪酸臭が明らかにある。
【０１２４】
アミン臭抑臭効果と高級脂肪酸臭抑臭効果の結果を表２に示す。
【０１２５】
【表２】
2015017236.tif 000015
【０１２６】
実施例14〜26、比較例３〜４
表３に示す組成のＡ液及びＢ液を調製し、両者を等量混合して漂白洗浄剤水溶液（pH11.5）を得た。
実施例１〜13、比較例１〜２と同様にして、アミン臭抑臭効果と高級脂肪酸臭抑臭効果を評価した結果を表４に示す。
【０１２７】
【表３】
2015017236.tif 000016
【０１２８】
【表４】
2015017236.tif 000017
【０１２９】
実施例27〜30
実施例１〜26の漂白洗浄剤水溶液における香料組成物１〜13に代えて、以下の香料組成物16〜19を使用することもできる。
【０１３０】
香料組成物16（ハーブ調香料組成物）
（質量％）
(C) ユーカリ油                                              50
(C) ジヒドロミルセノール                                    24
(C) l-メントール                                            10
l-カルボン                                               4
(C) 2,6-ジメチル-2-ヘプタノール                              3
(C) シス-3-ヘキセノール                                      3
カローン                                                 1
ジプロピレングリコール（無臭溶剤）                       5
合計                                                       100
成分(C)の合計量    90質量％
【０１３１】
香料組成物17（フローラル調香料組成物）
（質量％）
フェニルエチルアルコール                                50
(C) シトロネロール                                          12
ゲラニオール                                             8
(C) シス-3-ヘキセノール                                      8
エチル2-(2-メチル-1,3-ジオキソラン-2-イル)アセテート     4
ラズベリーケトン                                         4
(C) メチルイソオイゲノール                                   3
アニシルアセトン                                         2
トリシクロ[5.2.1.02,6]デカン-2-カルボン酸エチル
（花王商品名：フルーテート）                             1
ジヒドロβ-イオノン                                      1
(C) ダマセノン                                               0.5
(C) ローズオキサイド                                         0.5
ジプロピレングリコール（無臭溶剤）                       6
合計                                                       100
成分(C)の合計量    24質量％
【０１３２】
香料組成物18（柑橘調香料組成物）
（質量％）
(C) リモネン                                                50
(C) ジヒドロミルセノール                                    10
(C) シトロネリルニトリル                                    10
(C) シス-3-ヘキセノール                                      8
トリシクロ[5.2.1.02,6]デカン-2-カルボン酸エチル
（花王商品名：フルーテート）                             8
(C) 2,4,6-トリメチル-2-フェニル-1,3-ジオキサン               3
リナロールオキサイド                                     2
デシルアルデヒド                                         1
ジプロピレングリコール（無臭溶剤）                       8
合計                                                       100
成分(C)の合計量    81質量％
【０１３３】
香料組成物19（フルーツ調香料組成物）
（質量％）
γ-デカラクトン                                         20
(C) リモネン                                                20
トリシクロ[5.2.1.02,6]デカン-2-カルボン酸エチル
（花王商品名：フルーテート）                            20
γ-ウンデカラクトン                                      8
γ-ノナラクトン                                          8
β-イオノン                                              8
(C) シス-3-ヘキセノール                                      5
2-シクロヘキシルプロパナール                             2
エチルマルトール                                         0.5
(C) p-メンタン-8-チオール-3-オン                             0.5
ジプロピレングリコール（無臭溶剤）                       8
合計                                                       100
成分(C)の含有量    25.5質量％